(57)【特許請求の範囲】
【請求項１】
遊技機枠と、
遊技機枠に対して開閉可能に枢着される開閉扉と、
開閉扉に備えられ、透明板を保持する透明板保持枠と、
遊技盤ベースの前面に遊技部材を備えて遊技機枠に組み込まれ、前記開閉扉に備えられる透明板を介して視認可能な遊技盤と、
遊技盤の背面若しくは遊技盤の背面方向に位置する遊技機構成部材に備えられ、遊技盤を開閉扉方向に付勢する付勢手段とを含み、
付勢手段は、第一の付勢部材と、第二の付勢部材と、第一の付勢部材及び第二の付勢部材との間に配設され、第一の付勢部材と第二の付勢部材をそれぞれ遊技盤方向と遊技機構成部材方向に付勢する弾性部材とで構成され、弾性部材は、筒状に形成された第一の付勢部材の弾性部材収容空間に収容されており、
付勢手段により遊技盤に付勢された付勢力は、開閉扉を閉じた状態で、遊技盤を介して透明板に伝達されることを特徴とする遊技機。
【請求項２】
第一の付勢部材と第二の付勢部材とは、別体で構成されていることを特徴とする請求項１に記載の遊技機。
【請求項３】
遊技盤を遊技機枠に取り付けるための取付部本体と付勢手段とで構成された取付部を遊技盤に備え、
取付部本体に遊技機枠に着脱可能なピン部を備え、
第二の付勢部材に押圧部を備え、
遊技機枠に第一の片部及び第二の片部で構成された受け部材を備え、
第一の片部はピン部を収容する凹部を備え、
第二の片部は押圧部が当接する面部を備え、
ピン部を凹部に案内させて収容することで、押圧部が面部に当接し、
押圧部が面部に当接している状態で遊技機枠に対して開閉扉を閉じることで、遊技盤に付勢された付勢力が遊技盤を介して透明板に伝達されることを特徴とする請求項１又は２に記載の遊技機。
【発明の詳細な説明】
【技術分野】
【０００１】
本発明は遊技機、詳しくは、開閉扉に備えられる透明板の前後方向の遊びを規制する付勢手段を備えた遊技機に関する。
【背景技術】
【０００２】
弾球遊技機（いわゆるパチンコ機）には、遊技機枠の一側面前方側に開閉扉（前面扉）を開閉可能に備えている。この開閉扉には、遊技機枠内に配置してある遊技盤を視認可能とするため、及び遊技領域を転動する遊技球が外に飛び出さないようするために、例えば円形状に設けた窓部の背面側に、例えば矩形状や円形状のガラス製の透明板（ガラス板）が備えられている。
従来、例えばこの透明板は、透明板保持枠により開閉扉の背面側に固定されている。
このように透明板が透明板保持枠により固定されるものであると、遊技機枠の個体差によって透明板と遊技盤との間の距離にばらつきが生じてしまうことがある。
このようなばらつきが生じ、ある一定の距離があいてしまうと、球詰まりの原因となったり、さらにはこのような透明板と遊技盤との間に生じた距離（隙間）は、不正遊技者の標的とされ、この隙間を狙っての針金などによる不正行為（ゴト行為ともいう）などが行われる虞がある。
【０００３】
そこで、このような固定型の透明板保持枠の問題点を改善するべく、透明板をその厚み方向に遊びを持たせた状態で開閉扉の背面側に保持する保持枠を用いるとともに、遊技盤の前面に突起状の防振部材（付勢手段）を取り付け、開閉扉を閉じた時に、防振部材の先端が透明板保持枠を押圧することで透明板の前後方向の遊びを規制するようにした遊技機が提案されている（特許文献１参照）。
【特許文献１】特開２００３−２２０２４９号公報
【０００４】
しかし、この特許文献１に開示の技術的手段は、遊技盤の前面に設けた防振部材（付勢手段）により透明板の前後方向の遊びを規制するものではあるが、突起状の防振部材（付勢手段）が透明板保持枠の端部に直接当たって押圧することにより透明板を押さえつけるものである。よって、突起状の防振部材（付勢手段）の先端が当接する透明板保持枠の端部に応力が集中してしまい、透明板保持枠の所定箇所が疲弊し易く、これにより振動などが早期に発生してしまうという虞がある。
【発明の開示】
【発明が解決しようとする課題】
【０００５】
本発明は、このような問題を解決するためになされており、その目的とするところは、開閉扉に備えられる透明板の前後方向の遊びを長期間安定して規制し得る付勢手段を備えた遊技機を提供することである。
【課題を解決するための手段】
【０００６】
このような目的を達成するために、第１の発明は、遊技機枠１と、
遊技機枠１に対して開閉可能に枢着される開閉扉２と、
開閉扉２に備えられ、透明板１３，１４を保持する透明板保持枠１５（１５ａ，１５ｂ）と、
遊技盤ベース７の前面に遊技部材（例えばガイドレールＬ１）を備えて遊技機枠１に組み込まれ、前記開閉扉２に備えられる透明板１３，１４を介して視認可能な遊技盤６と、
遊技盤６の背面若しくは遊技盤６の背面方向に位置する遊技機構成部材（例えば受け部材４０）に備えられ、遊技盤６を開閉扉２方向に付勢する付勢手段２９とを含み、
付勢手段は、第一の付勢部材と、第二の付勢部材と、第一の付勢部材及び第二の付勢部材との間に配設され、第一の付勢部材と第二の付勢部材をそれぞれ遊技盤方向と遊技機構成部材方向に付勢する弾性部材とで構成され、弾性部材は、筒状に形成された第一の付勢部材の弾性部材収容空間に収容されており、
付勢手段２９により遊技盤６に付勢された付勢力は、開閉扉２を閉じた状態で、遊技盤６を介して透明板１３，１４に伝達されることを特徴とする遊技機としたことである。
【０００７】
本発明によれば、遊技盤６が開閉扉２方向に付勢される構造となり、開閉扉２を閉じたときに、遊技盤６の前面領域にあるいずれかの遊技部材（例えばガイドレールＬ１）と透明板保持枠１５若しくは透明板（奥側の透明板１４）とが当接し、遊技盤６に付勢された付勢力が透明板１３，１４に伝達される。
すなわち、本発明の場合、遊技盤６の前面領域にあるいずれかの遊技部材（例えばガイドレールＬ１）が、透明板保持枠１５若しくは透明板（奥側の透明板１４）に当接するものであるため、従来のように突起状の付勢手段のみを透明板保持枠に当接させるものと比して押圧箇所が分散され、押圧時の負担が軽減される。よって、透明板１３，１４の前後方向の遊びを長期間安定して規制し得る。これにより、従来、距離のばらつきにより生じていた隙間による球詰まりなどが防止できるとともに、遊技盤と透明板との間の隙間を狙った不正行為を防止することができる。
【０００８】
第２の発明は、第１の発明において、第一の付勢部材と第二の付勢部材とは、別体で構成されていることを特徴とする遊技機としたことである。
【００１０】
第３の発明は、第１の発明又は第２の発明において、遊技盤を遊技機枠に取り付けるための取付部本体と付勢手段とで構成された取付部を遊技盤に備え、
取付部本体に遊技機枠に着脱可能なピン部を備え、
第二の付勢部材に押圧部を備え、
遊技機枠に第一の片部及び第二の片部で構成された受け部材を備え、
第一の片部はピン部を収容する凹部を備え、
第二の片部は押圧部が当接する面部を備え、
ピン部を凹部に案内させて収容することで、押圧部が面部に当接し、
押圧部が面部に当接している状態で遊技機枠に対して開閉扉を閉じることで、遊技盤に付勢された付勢力が遊技盤を介して透明板に伝達されることを特徴とする遊技機としたことである。
【発明の効果】
【００１２】
本発明によれば、開閉扉に備えられる透明板の前後方向の遊びを長期間安定して規制し得る付勢手段を備えた遊技機を提供することができた。
【発明を実施するための最良の形態】
【００１３】
以下、本発明遊技機の一実施形態について説明する。なお、本実施形態では、本発明遊技機の一例として、画像表示手段によって、遊技領域に複数種類の図柄が変動表示する演出を行う形態の弾球遊技機（以下、単に遊技機という。）を挙げて説明するが、本実施形態は本発明遊技機の一例にすぎずなんら図示した形態に限定解釈されるものではなく、その他の形態を有する遊技機、例えば封入球式遊技機なども本発明の範囲内であり、本発明の範囲内で設計変更可能である。
【実施例１】
【００１４】
遊技機は、図１に示すように遊技場の島設備に配設される遊技機枠（本体枠ともいう。）１を含み、該遊技機枠１内には図２に示す遊技盤６が組み込まれている。
そして、遊技盤６の背面側には、図１に示すように、遊技盤６の遊技球転動領域Ａに画像による演出を表示する画像表示手段（例えば液晶表示装置（LCD:Liquid Crystal Display）など）１８が配設される。
【００１５】
遊技機枠１の側面の前面には、図１に示すように、透光性を有する合成樹脂板やガラス板などの透明板１３，１４を組み込んで前記遊技盤６を視認可能にして開閉可能に枢着される開閉扉（前面扉ともいう。）２と、該開閉扉２の前面側に一体に備えられる上皿３と、該開閉扉２の下方にて遊技機枠１の前面側に配設される下皿４およびハンドル５が備えられている。
上皿３の前面側には、画像表示手段１８に変動表示される図柄の変動を、遊技者により停止操作可能な操作手段（図柄停止ボタン）２０が備えられている。
【００１６】
本実施形態におけるハンドル５は、図１に示すように、遊技者側から見た状態で下皿４の左側（図１にて左側）に備えられており、ハンドル５の回動操作により内蔵されている図示しない遊技球発射機構（例えば発射ソレノイドなど）を操作し、遊技球を遊技盤６の遊技球転動領域Ａ１へ打ち出すものである。なお、ハンドル５は、遊技球を発射操作する場合に、遊技者側から見て時計方向に回転させる形態と、反時計方向に回転させる形態のいずれであってもよい。
このようにハンドル５を遊技機の左側に備えたことにより、操作手段（図柄停止ボタン）２０の操作が右手で行えるため、ボタン操作がし易い。また、特に左利きの遊技者にとってハンドル操作がし易くなるという利点もある。
なお、ハンドル５は、遊技者側から見た状態で右側に備えられる形態であってもよく特に限定解釈されるものではない。
【００１７】
画像表示手段（液晶表示装置）１８は、所定の可変表示開始条件が成立、例えば始動入賞装置９に遊技球が入賞し、図示しない遊技状態表示部の変動表示が開始することを開始条件として複数種類の装飾図柄１９ａ，１９ｂ，１９ｃが変動表示を開始するスロットマシンのリールの如く装飾図柄による演出表示領域を少なくとも有している（図１参照）。ただし、本発明の範囲内でその他の演出画像、例えば遊技状態に対応したアニメーションやその他の報知情報などによる演出表示領域を備えることも可能である。
また、装飾図柄１９ａ，１９ｂ，１９ｃの表示領域の大小及び形状は特に限定されず本発明の範囲内で設計変更可能である。表示領域全体の大小及び形状も任意で、本実施形態のように遊技盤６全体が後述する透明な部材からなる場合には、遊技盤６全体の大きさに対応した大きい領域にわたる大きな表示領域とすることができる。
【００１８】
画像表示手段（液晶表示装置）１８に表示される装飾図柄は、例えばスロット機のリールのように左右に３列（左列装飾図柄１９ａ、中列装飾図柄１９ｂ、右列装飾図柄１９ｃ）に並んで区別され、それぞれが上から下に向かって回転するように変動表示されているリール画像で、各装飾図柄１９ａ，１９ｂ，１９ｃの列毎に複数の装飾図柄が変動表示される。表示される装飾図柄１９ａ，１９ｂ，１９ｃは、特別図柄とは異なる図柄であって、上述の通り、特別図柄の変動開始に応じて変動が開始され、特別図柄の表示結果が導出されるまでの間に、後述する操作手段２０を遊技者が操作することによって停止表示がなされる。また、装飾図柄は、３つの図柄でなくてもよく、また変動表示の態様も上下方向に限られるものではなく、横方向あるいは前後方向などでもよい。
また、本実施形態では、３つの列のそれぞれの停止表示が、それぞれ１つずつ表示される実施の形態であるが、一つの列に複数、例えば３つずつ停止表示される形態などであってもよい。
【００１９】
操作手段２０は、本実施形態では、三列で変動表示する画像表示手段１８の各図柄列（左列装飾図柄１９ａ、中列装飾図柄１９ｂ、右列装飾図柄１９ｃ）に応じて三箇所のボタン（左図停止ボタン２０ａ，中図停止ボタン２０ｂ，右図停止ボタン２０ｃ）が、図１に示すように、上述した上皿３の前面に横並びで備えられている。
この操作手段２０の配設個所、配設個数若しくは形状などは特に限定されるものではなく本発明の範囲内で設計変更可能である。
【００２０】
この操作手段２０は、例えば図示しない遊技制御手段（副制御基板）に電気的に接続されている。そして、左図停止ボタン２０ａが押されると左図停止信号が、中図停止ボタン２０ｂが押されると中図停止信号が、右図停止ボタン２０ｃが押されると右図停止信号がそれぞれ遊技制御手段に入力されるようになっている。すなわち、それぞれの停止信号は、それぞれが対応する図柄を停止表示させるための信号であり、これら信号を受信した遊技制御手段により、画像表示手段（液晶表示装置）１８に変動表示中の対応図柄列の図柄を停止表示させるための制御が行われる。つまり、左図停止ボタン２０ａ、中図停止ボタン２０ｂ、右図停止ボタン２０ｃは、変動表示される各装飾図柄１９（左列装飾図柄１９ａ、中列装飾図柄１９ｂ、右列装飾図柄１９ｃ）を停止させる機能を有している。
【００２１】
本実施形態では、図示しないが、遊技機枠１内で画像表示手段１８の背面には、遊技の進行を制御する主制御基板（主制御回路）や、該主制御基板（主制御回路）からの信号に従って各演出装置（発光装置、画像表示手段１８，スピーカなど）を制御する副制御基板（副制御回路）などの制御装置を配した図示しない基板ベースが装着されている。
本実施形態では、前記開閉扉２が配設される遊技機枠１の前面側上部に、該遊技機枠１上部に備えられる左右のスピーカを覆うように任意形状のカバー部材２１が配設されている。
【００２２】
開閉扉２は、本実施形態では、後述する遊技盤６の遊技球転動領域と略同程度の大きさとした円形状の窓部１２を有するとともに、窓部１２よりも大径の円形状の透明板（本実施形態ではガラス板）１３，１４を、開閉扉２の背面側で前後方向（開閉扉２の厚み方向）に２枚所定間隔をあけて保持している。
また、本実施形態では、開閉扉２の背面側にて２枚の透明板１３，１４を所定間隔に保持する透明板保持枠１５を図２及び図３に示す構成としている。
【００２３】
本実施形態の透明板保持枠１５を具体的に説明すると、窓部１２よりも大径に形成された円形状の２条の保持溝１６（手前側），１７（奥側）を開閉扉２の厚み方向に並設した円環状に形成されており、高さ方向で二分割可能に構成されている。そして、下側の保持枠１５ａを窓部１２の周縁に固定し、それぞれの透明板１３，１４を上方から差し込む。そして、その後上側の保持枠１５ｂを被せた後に、窓部１２の周縁に固定する。
透明板１３，１４は、透光性を有する材質からなるものであればよく、合成樹脂板やガラス板などが本発明の範囲内で設計変更可能である。
【００２４】
遊技盤６は、例えば本実施形態では、全体を透光性部材（透明部材）で形成して裏側が視認可能に構成されている略矩形状の遊技盤ベース７と、その遊技盤ベース７の四隅部に取付固定され、遊技機枠１に着脱可能に取り付けられる取付部２２を備えている形態が採用される。
【００２５】
遊技盤６は、図４に示すように、遊技盤ベース７の前面領域に、外側のガイドレールＬ１と、正面視左側で外側のガイドレールＬ１の内側に配され、所定の遊技球発射領域Ｄを形成する内側のガイドレールＬ２を備え、そのガイドレールＬ１，Ｌ２によって区画された表面領域には、一般入賞装置８、遊技状態を大当りとするか否かの抽選処理を起動する始動領域としての始動入賞装置９、大当たり遊技状態の発生に基づき、入賞口の開放動作を行うアタッカと称する特別電動役物を構成する大入賞装置１１、遊技球の流下に変化を与える多数の遊技釘（図示省略）などの遊技部材を備えて遊技球転動領域Ａ１を構成している。
ガイドレールＬ１、ガイドレールＬ２、一般入賞装置８、始動入賞装置９、遊技釘などの遊技部材は、それぞれ遊技盤ベース７の前面にて前方（開閉扉２方向）に向けて突出している。また、本実施例では、これら遊技部材の中でも前記ガイドレールＬ１が最も開閉扉２方向に向けて突出しているものとしている。
【００２６】
遊技盤ベース７は、透光性部材で形成した領域を少なくとも一部に有し、その透光性部材で形成した領域を介して裏側に配設される画像表示手段（液晶表示装置）１８が遊技者側から視認されることで演出効果・装飾効果などを奏し得るものであればよい。
遊技盤ベース７を形成する透光性部材は、例えば、遊技部材を固定でき、かつ、容易に変形しない（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂材、ポリアリレート樹脂材などが任意に選択される。また、樹脂以外の材質、例えばガラスなどを採用することも可能である。
遊技盤ベース７の全体を構成する透光性部材は無色透明とするが、有色透明部材を採用することも可能である。また仕様によっては遊技盤ベース７を無色透明部材と有色透明部材とで構成したり、遊技盤ベース７に色彩・模様を施したりすることも可能であり、前記画像表示手段（液晶表示装置）１８の表示に悪影響を及ぼさない範囲内で設計変更可能である。この場合、模様は無色透明の線図が好ましいが、遊技盤ベース７の裏面側に配設される画像表示手段（液晶表示装置）１８の構成によっては有色模様を施すことも可能である。
なお、本実施形態では、透光性を有する部材で遊技盤ベース７を構成するものとしているが、本発明にあっては特に透光性を有する部材で構成されるものに限定解釈されるものではなく、透光性を有しない部材（合成樹脂製・木製など）であってもよいことは言うまでもない。
【００２７】
取付部２２は、前面部と後面部との間に、板部の隅部を差し込み可能な所定の隙間を設けた取付部本体２６と、取付部本体２６の背面側に一体に突設した付勢手段２９とで構成されている。
また、取付部本体２６は、その側面所定箇所に遊技機枠１に着脱可能なピン部２７を一体に突設している。
本実施形態では四隅部のすべてにこの取付部２２が備えられる。
図中２８は、取付部２２と遊技盤ベース７とを一体に固定するための固定部材を示す。
【００２８】
従って、この取付部２２をそれぞれ遊技盤ベース７の四隅部に固定することにより、遊技盤６の四隅部の背面には、それぞれ付勢手段２９が突状に備えられることとなる。
【００２９】
付勢手段２９は、遊技盤６を開閉扉２方向に押圧する第一の付勢部材３０と、遊技盤６の背面方向に位置する遊技機構成部材４０を押圧する第二の付勢部材３４と、第一の付勢部材３０と第二の付勢部材３４との間に配設される弾性部材４７とで構成されている。
【００３０】
第一の付勢部材３０は、一側を開放した円筒状に形成される外筐３１と、その外筐３１よりも小径に形成され一側を開放した円筒状に形成される中筒部３２と、外筐内面３１ａと中筒部外面３２ａとの間に所定の空間をもって形成される弾性部材収容空間３３とで構成されており、外筐３１の他側面（閉鎖側）を取付部本体２６の背面所定箇所に一体に取り付けて取付部本体２６の背面側に突設される。
【００３１】
第二の付勢部材３４は、前記第一の付勢部材３０の中筒部外面３２ａよりも僅かに大径の円筒状の中空部３５を有するとともに、弾性部材収容空間３３にスライド移動可能に挿入される摺動筒部３６と、摺動筒部３６の端部から延設され、前記第一の付勢部材３０の外筐３１の外面３１ｂ及び内面３１ａと同一径の外面３７ｂと内面３７ａを有する円筒状の押圧部３７とで構成されている。
【００３２】
弾性部材４７は、例えば本実施形態では、第一の付勢部材３０の弾性部材収容空間３３に収容され、その収容空間３３の長さ方向に伸縮可能なコイルスプリングが採用されている。
従って、第一の付勢部材３０と第二の付勢部材３４は、この弾性部材４７によりそれぞれ離間する方向（図１０、１２及び図１３において、符号Ｚ１，Ｚ２で示す矢印方向）に付勢される。
弾性部材４７は、本実施例ではコイルスプリングが採用されているが、第一の付勢部材３０と第二の付勢部材３４をそれぞれＺ１，Ｚ２方向に付勢し得るものであればこれに限定解釈されるものではなく本発明の範囲内で設計変更可能である。
図中３８は、第二の付勢部材３４を第一の付勢部材３０と一体に組み込むための連結部材としてのネジ部材で、３９は第二の付勢部材３４の押圧部３７の内底面３７ｃと当接するワッシャである。このネジ部材３８とワッシャ３９との締め付け調整により第二の付勢部材３４の奥行き方向の突出度合いを調整する。
【００３３】
そしてこの付勢手段２９は、遊技盤６を遊技機枠１に組み込んだ際に、遊技盤６の背面領域に存する遊技機構成部材４０に第二の付勢部材３４の押圧部３７が当接する。
【００３４】
付勢手段２９が当接する遊技機構成部材４０は、本実施形態では、図６乃至図８に示すように、遊技機枠１の内面の所定の四箇所に取り付け固定される受け部材を想定する。
【００３５】
受け部材４０は、取付部２２のピン部２７を収容する凹部４２を備えた第一の片部４１と、第一の片部４１の端部から直交する方向に延び、前記付勢手段２９の第二の付勢部材３４における押圧部３７が当接する面部４４を有する第二の片部４３とで構成されている。
また、前記凹部４２は、収容されるピン部２７が矢印Ｚ１，Ｚ２方向に移動可能な奥行き深さをもって形成されている。
【００３６】
また、前記凹部４２と第二の片部４３との位置関係は次のように設定されている。
すなわち、図１１に示すように、凹部４２と第二の片部４３の面部４４との距離は、取付前の何等付勢力の掛かっていない状態におけるピン部２７から付勢手段２９の第二の付勢部材３４の押圧部３７の先端面３７ｅまでの距離よりも短く設定されるか、若しくは同等程度に設定される。
また、受け部材４０を遊技機枠１の内面に取り付け固定する際には、開閉扉２を閉じた時の透明板（奥側の透明板１４）が位置する領域よりも前方（開閉扉２の前方向）に遊技盤６のガイドレールＬ１が位置するようにする。
なお、受け部材４０は、図示形態になんら限定されるものではなく、取付部２２のピン部２７を収容する凹部４２と、第二の付勢部材３４における押圧部３７が当接する所定の面部４４を備え持つ形態であればよく本発明の範囲内で設計変更可能である。
【００３７】
従って、本実施形態によれば、遊技盤６に備えた付勢手段２９は次のように作用する。
まず、遊技盤６を遊技機枠１に組込み配設する。
このとき、遊技盤６に備えた四隅部の取付部２２のピン部２７を、それぞれ遊技機枠１に備えた各受け部材４０の凹部４２に案内させて収容する。また、このときそれぞれの付勢手段２９の第二の付勢部材３４の押圧部３７が各受け部材４０の第二の片部４３の面部４４に当接し、所定の押圧力を掛けて第二の付勢部材３４を付勢させた状態でピン部２７を凹部４２に収容するものとする。
なお、凹部４２と第二の片部４３の面部４４との距離と、取付前の何等付勢力の掛かっていない状態におけるピン部２７から付勢手段２９の第二の付勢部材３４の押圧部３７の先端面３７ｅまでの距離が同等程度に設定される場合には、ピン部２７を凹部４２に収容させた際に付勢手段２９の第二の付勢部材３４の押圧部３７が何等付勢力の掛かっていない状態で当接する。
そしてその後、開閉扉２を閉じると、開閉扉２に備えられている透明板（奥側の透明板１４）が遊技盤６の前面領域にあるガイドレールＬ１と当接し、さらに開閉扉２を完全に閉じると、開閉扉２に備えられている透明板（奥側の透明板１４）がガイドレールＬ１を介して遊技盤６全体を奥行き方向に押圧し、付勢手段２９の弾性部材４７が圧縮されて付勢手段２９の第一の付勢部材３０と第二の付勢部材３４を付勢する。このように付勢力が掛かった第一の付勢部材３０と第二の付勢部材３４は、弾性部材４７の弾性力によりそれぞれＺ１方向とＺ２方向へと押圧し、遊技盤６を開閉扉２方向へと付勢する。
【００３８】
本実施形態では、付勢手段２９の一実施形態として円筒状に形成したものをもって説明したが、付勢手段２９の形態はこれに限定されるものではなく、第一の付勢部材３０と第二の付勢部材３４をそれぞれＺ１方向、Ｚ２方向に付勢可能なものであれば第一の付勢部材３０及び第二の付勢部材３４をそれぞれ角筒状などに形成するものであってもよい。
【００３９】
また、本実施形態では、第一の付勢部材３０の内面に弾性部材４７を収容する弾性部材収容空間３３を有し、その空間３３内に第二の付勢部材３４の摺動筒部３６がスライド移動する形態であるが、例えば第一の付勢部材３０の外筐外面３１ｂに弾性部材４７を収縮可能に配設するとともに、第二の付勢部材３４の摺動筒部３６を第一の付勢部材３０の外筐外面３１ｂよりも大径に形成して、第一の付勢部材３０の外筐外面３１ｂを第二の付勢部材３４の摺動筒部３６がスライド移動可能な形態を採用することも可能である。
さらに、本実施形態では、遊技盤６の背面側の四隅部にそれぞれ付勢手段２９を１つずつ備えた一形態を示すが、それぞれの隅部に備えられる付勢手段２９は１つには限られず、複数個備えることも可能で本発明の範囲内である。
【００４０】
本実施形態では、遊技盤６の背面に付勢手段２９を備えた実施の一形態であるが、付勢手段２９は、遊技盤６の背面方向に位置する遊技機構成部材４０に備えることも可能である。
すなわち、例えば、上述した実施形態の受け部材４０の第二の片部４３に上述の付勢手段２９を取り付け固定しておく形態も可能で、その他本発明の範囲内で他の形態を任意に選択可能である。
「変形例」
【００４１】
図１４は、実施例１の変形例で、透明板保持枠１５の遊技盤６の対向面に凸部４５が設けられており、凸部４５は、遊技盤６の前面領域に備えられるガイドレールＬ１と当接する位置に設けられている。従って、開閉扉２を閉じた際に、この凸部４５がガイドレールＬ１と当接し、凸部４５を介して遊技盤６を開閉扉２方向に付勢する。
また、特に図示はしないが、凸部４５には、当接するガイドレールＬ１が嵌る凹溝を設けることも可能である。
その他の構成及び作用効果は上述した実施の形態と同様であるためその説明は省略する。
【実施例２】
【００４２】
図１５及び図１６は本発明の実施例２の一形態を示す。
本実施形態は、遊技部材（例えばガイドレールＬ１）が直接透明板（奥側の透明板１４）を押圧する形態を想定している。
また本実施形態では、ガイドレールＬ１と当接する凸部４６を奥側の透明板１４の背面に突設させ、その凸部４６を介してガイドレールＬ１と当接させるものとしている。また、凸部４６はガイドレールＬ１と同一形状に形成する。
本実施形態では、上述のとおり凸部４６を介してガイドレールＬ１と当接させるものとしているが、凸部４６を備えず、直接ガイドレールＬ１を透明板１４の背面に当接させて押圧させることも可能である。
【００４３】
また、本実施形態では、正面視で矩形状の透明板１４を採用し、その背面側に凸部４６を設けるものとしているが、透明板１３，１４の形態は特に限定解釈されるものではなく、また、本実施形態のように、透明板保持枠１５に上方から差し込む形態でなくてもよく本発明の範囲内で設計変更可能である。
また、特に図示はしないが、凸部４６には、当接するガイドレールＬ１が嵌る凹溝を設けることも可能である。
なお、上述の実施形態では、２枚の透明板１３，１４をそれぞれ一枚ずつ透明板保持枠１５に嵌め込む形態をもって説明したが、２枚の透明板をユニット化した状態で保持枠に嵌め込むことも可能で本発明の範囲内である。
その他の構成及び作用効果は上述した実施例１の形態と同様であるためその説明は省略する。
【図面の簡単な説明】
【００４４】
【図１】遊技機の一例を示す概略正面斜視図である。
【図２】実施例１における開閉扉の概略背面図である。
【図３】図２の開閉扉に備えられる透明板と透明板保持枠の概略を拡大して示す概略断面図である。
【図４】遊技盤の概略正面斜視図である。
【図５】遊技盤の概略背面図である。
【図６】遊技機枠の一部を省略し、受け部材の概略位置を示す概略正面図である。
【図７】上部の受け部材の位置状態を説明する概略斜視図である。
【図８】下部の受け部材の位置状態を説明する概略斜視図である。
【図９】取付部の概略図で、（ａ）は正面図、（ｂ）は背面図を示す。
【図１０】取付部の概略平面図である。
【図１１】取付部と受け部材との関係を示す概略斜視図である。
【図１２】遊技盤を遊技機枠に組み込んだ状態を一部拡大して示す概略断面図である。
【図１３】付勢手段によって遊技盤が開閉扉方向に付勢され、ガイドレールが開閉扉の透明板に当接している状態を一部省略して示す概略横断面図である。
【図１４】変形例で、一部を省略して示す拡大横断面図である。
【図１５】実施例２の概略を示し、開閉扉とその開閉扉の透明板保持枠に差し込まれる透明板を示す斜視図である。
【図１６】実施例２において、付勢手段によって遊技盤が開閉扉方向に付勢され、ガイドレールが開閉扉の透明板の凸部に当接している状態を一部省略して示す概略横断面図である。
【符号の説明】
【００４５】
Ａ１  遊技球転動領域
１  遊技機枠
２  開閉扉
６  遊技盤
７  遊技盤ベース
１３，１４  透明板
１５  透明板保持枠
２９  付勢手段
３０  第一の付勢部材
３４  第二の付勢部材
４０  受け部材（遊技機構成部材）
４１  第一の片部
４２  凹部
４３  第二の片部
４４  面部
４５  凸部
４６  凸部
４７  弾性部材
【図１】
0005204443.tif 000002
【図２】
0005204443.tif 000003
【図３】
0005204443.tif 000004
【図４】
0005204443.tif 000005
【図５】
0005204443.tif 000006
【図６】
0005204443.tif 000007
【図７】
0005204443.tif 000008
【図８】
0005204443.tif 000009
【図９】
0005204443.tif 000010
【図１０】
0005204443.tif 000011
【図１１】
0005204443.tif 000012
【図１２】
0005204443.tif 000013
【図１３】
0005204443.tif 000014
【図１４】
0005204443.tif 000015
【図１５】
0005204443.tif 000016
【図１６】
0005204443.tif 000017